(57)【特許請求の範囲】
【請求項１】
ワイヤレス通信のための装置であって、
送信のために前記装置によって使用されるべき複数のチャネルを示す第１の情報と、前記送信の持続時間を示す第２の情報とを備えるフレームを生成すること、ここにおいて、前記フレームは、ヘッダを含み、前記第１の情報は、前記ヘッダ中にある、と、
前記第１の情報のうちの少なくとも第１の部分を前記ヘッダの予約済みフィールドに挿入することと、
前記第２の情報を前記ヘッダの長さフィールドに挿入することと、
前記第１の情報のうちの少なくとも第２の部分を、前記ヘッダの前記長さフィールドのＮ個の最下位ビット位置に挿入すること、Ｎは、整数である、と
を行うように構成される処理システムと、
前記複数のチャネルのうちの少なくとも１つの上でのワイヤレス送信のために前記フレームを出力するように構成されるインターフェースと
を備える、装置。
【請求項２】
前記第１の情報のうちの前記第１の部分は、前記複数のチャネルのうちの第１の１つを示し、前記第１の情報のうちの前記第２の部分は、前記複数のチャネルの数を示す、
請求項１に記載の装置。
【請求項３】
前記複数のチャネルのうちの各１つは、複数のコードのうちの異なる１つによって識別され、前記第１の情報のうちの前記第１の部分は、前記複数のチャネルのうちの前記第１の１つを識別する前記複数のコードのうちの前記１つを備える、
請求項２に記載の装置。
【請求項４】
前記複数のチャネルは、連続する、
請求項１に記載の装置。
【請求項５】
前記処理システムは、前記フレームのペイロード中のデータを符号化および変調するために使用された変調およびコーディングスキーム（ＭＣＳ）よりも低いＭＣＳを使用して、前記ヘッダを符号化および変調するように構成される、
請求項１に記載の装置。
【請求項６】
ワイヤレス通信のための装置であって、
送信のために前記装置によって使用されるべき複数のチャネルを示す第１の情報と、前記送信の持続時間を示す第２の情報とを備えるフレームを生成することと、
第１の値に基づいて第１の送信持続時間を算出すること、前記第１の値は、前記送信の前記持続時間に対応する、と、
第２の値を取得するために、前記第１の値のＮ個の最下位ビットを前記第１の情報のうちの少なくとも一部分と交換すること、Ｎは、整数である、と、
前記第２の値に基づいて第２の送信持続時間を算出することと、
前記第１の送信持続時間および前記第２の送信持続時間がほぼ等しい場合、前記第２の値を前記フレームに挿入すること、ここにおいて、前記第２の値は、前記第２の情報と、前記第１の情報のうちの前記少なくとも一部分とを備える、と
を行うように構成される処理システムと、
前記複数のチャネルのうちの少なくとも１つの上でのワイヤレス送信のために前記フレームを出力するように構成されるインターフェースと
を備える、装置。
【請求項７】
前記第１の送信持続時間は、第１のネットワーク割振りベクトル（ＮＡＶ）値を備え、前記第２の送信持続時間は、第２のＮＡＶ値を備える、
請求項６に記載の装置。
【請求項８】
前記第２の送信持続時間が前記第１の送信持続時間よりも大きい場合、前記処理システムは、
第３の値を取得するために、前記第２の値をある量だけ低減することと、
前記第３の値を前記フレームに挿入すること、ここにおいて、前記第３の値は、前記第２の情報と、前記第１の情報のうちの前記少なくとも一部分とを備える、と
を行うように構成される、請求項６に記載の装置。
【請求項９】
前記第２の送信持続時間が前記第１の送信持続時間よりも小さい場合、前記処理システムは、
第３の値を取得するために、前記第２の値をある量だけ増加させることと、
前記第３の値を前記フレームに挿入すること、ここにおいて、前記第３の値は、前記第２の情報と、前記第１の情報のうちの前記少なくとも一部分とを備える、と
を行うように構成される、請求項６に記載の装置。
【請求項１０】
前記処理システムは、前記第１の送信持続時間および前記第２の送信持続時間がほぼ等しい場合、前記第２の値を前記フレームの長さフィールドに挿入するように構成される、
請求項６に記載の装置。
【請求項１１】
少なくとも１つのアンテナをさらに備え、前記インターフェースは、前記少なくとも１つのアンテナを介してワイヤレス送信のために前記フレームを出力するように構成され、前記装置は、ワイヤレスノードとして構成される、
請求項６に記載の装置。
【請求項１２】
ワイヤレスノードであって、
少なくとも１つのアンテナと、
送信のために前記ワイヤレスノードによって使用されるべき複数のチャネルを示す第１の情報と、前記送信の持続時間を示す第２の情報とを備えるフレームを生成すること、ここにおいて、前記フレームは、ヘッダを含み、前記第１の情報は、前記ヘッダ中にある、と、
前記第１の情報のうちの少なくとも第１の部分を前記ヘッダの予約済みフィールドに挿入することと、
前記第２の情報を前記ヘッダの長さフィールドに挿入することと、
前記第１の情報のうちの少なくとも第２の部分を、前記ヘッダの前記長さフィールドのＮ個の最下位ビット位置に挿入すること、Ｎは、整数である、と
を行うように構成される処理システムと、
前記少なくとも１つのアンテナを介して前記フレームを送信するための送信機と
を備える、ワイヤレスノード。
【請求項１３】
ワイヤレス通信のための装置であって、
送信のために別の装置によって使用されるべき複数のチャネルを示す第１の情報と、前記送信の持続時間を示す第２の情報とを備えるフレームを受信するためのインターフェースと、
前記フレームのヘッダから前記第１の情報を取り出すことと、
前記ヘッダの予約済みフィールドから前記第１の情報のうちの少なくとも第１の部分を取り出すことと、
前記ヘッダの長さフィールドから前記第２の情報を取り出すことと、
前記ヘッダの前記長さフィールドのＮ個の最下位ビット位置から、前記第１の情報のうちの少なくとも第２の部分を取り出すこと、Ｎは、整数である、と、
前記第１の情報に基づいて前記複数のチャネルを決定することとを行うように、前記第２の情報に基づいて持続時間を算出することを行うように、少なくとも前記算出された持続時間中の間、前記装置が前記複数のチャネル上で送信するのを妨げることを行うように構成される処理システムと
を備える、装置。
【請求項１４】
前記算出された持続時間は、ネットワーク割振りベクトル（ＮＡＶ）値を備える、
請求項１３に記載の装置。
【請求項１５】
前記第１の情報のうちの前記第１の部分は、前記複数のチャネルのうちの第１の１つを示し、前記第１の情報のうちの前記第２の部分は、前記複数のチャネルの数を示す、
請求項１３に記載の装置。
【請求項１６】
前記処理システムは、前記フレームのデータペイロード中のデータを復号および復調するために使用された変調およびコーディングスキーム（ＭＣＳ）よりも低いＭＣＳを使用して、前記ヘッダを復調および復号するように構成される、
請求項１３に記載の装置。
【請求項１７】
少なくとも１つのアンテナをさらに備え、前記インターフェースは、前記少なくとも１つのアンテナを介して前記フレームを受信するように構成され、前記装置は、ワイヤレスノードとして構成される、
請求項１３に記載の装置。
【発明の詳細な説明】
【関連出願の相互参照】
【０００１】
[0001]本出願は、その内容全体が参照により本明細書に組み込まれる、２０１５年５月６に米国特許商標庁に出願された仮出願第６２／１５７，９０９号、および２０１６年４月２１日に米国特許商標庁に出願された非仮出願第１５／１３５，３８８号の優先権および利益を主張する。
【技術分野】
【０００２】
[0002]本開示のいくつかの態様は、一般にワイヤレス通信に関し、より詳細には、範囲内（in-range）デバイスへのチャネルボンディング（channel bonding）シグナリングに関する。
【背景技術】
【０００３】
[0003]ワイヤレス通信システムのために要求される増加する帯域幅の要件という問題に対処するために、異なるスキームが開発されている。いくつかのスキームでは、データは、６０ＧＨｚ範囲中の１つまたは複数のチャネル上で高データレート（たとえば、数ギガビット／ｓ）でワイヤレス送信される。
【発明の概要】
【０００４】
[0004]以下は、１つまたは複数の実施形態の基本的理解を与えるために、そのような実施形態の簡略化された概要を提示する。この概要は、すべての企図された実施形態の包括的な概観ではなく、すべての実施形態の主要または重要な要素を識別するものでも、いずれかまたはすべての実施形態の範囲を定めるものでもない。その唯一の目的は、後で提示されるより詳細な説明の導入として、１つまたは複数の実施形態のいくつかの概念を簡略化された形で提示することである。
【０００５】
[0005]第１の態様は、ワイヤレス通信のための装置に関する。本装置は、送信のために装置によって使用されるべき複数のチャネルを示す第１の情報と、送信の持続時間を示す第２の情報とを備えるフレームを生成するように構成される処理システムを備える。本装置はまた、複数のチャネルのうちの少なくとも１つの上でのワイヤレス送信のためにフレームを出力するように構成されるインターフェースを備える。
【０００６】
[0006]第２の態様は、ワイヤレス通信のための方法に関する。本方法は、送信のために装置によって使用されるべき複数のチャネルを示す第１の情報と、送信の持続時間を示す第２の情報とを備えるフレームを生成することを備える。本方法はまた、複数のチャネルのうちの少なくとも１つの上でのワイヤレス送信のためにフレームを出力することを備える。
【０００７】
[0007]第３の態様は、ワイヤレス通信のための装置に関する。本装置は、送信のために装置によって使用されるべき複数のチャネルを示す第１の情報と、送信の持続時間を示す第２の情報とを備えるフレームを生成するための手段を備える。本装置はまた、複数のチャネルのうちの少なくとも１つの上でのワイヤレス送信のためにフレームを出力するための手段を備える。
【０００８】
[0008]第４の態様はコンピュータ可読媒体に関する。本コンピュータ可読媒体は、送信のために装置によって使用されるべき複数のチャネルを示す第１の情報と、送信の持続時間を示す第２の情報とを備えるフレームを生成するためのその上に記憶された命令を備える。本コンピュータ可読媒体はまた、複数のチャネルのうちの少なくとも１つの上でのワイヤレス送信のためにフレームを出力するためのその上に記憶された命令を備える。
【０００９】
[0009]第５の態様はワイヤレスノードに関する。本ワイヤレスノードは、少なくとも１つのアンテナと、送信のためにワイヤレスノードによって使用されるべき複数のチャネルを示す第１の情報と、送信の持続時間を示す第２の情報とを備えるフレームを生成するように構成される処理システムとを備える。本ワイヤレスノードはまた、少なくとも１つのアンテナを介してフレームを送信するように構成される送信機を備える。
【００１０】
[0010]第６の態様は、ワイヤレス通信のための装置に関する。本装置は、送信のために別の装置によって使用されるべき複数のチャネルを示す第１の情報と、送信の持続時間を示す第２の情報とを備えるフレームを受信するためのインターフェースを備える。本装置はまた、第１の情報に基づいて複数のチャネルを決定することと、第２の情報に基づいて持続時間を算出することと、少なくとも算出された持続時間の間、本装置が複数のチャネル上で送信するのを妨げることとを行うように構成される処理システムを備える。
【００１１】
[0011]第７の態様は、ワイヤレス通信のための方法に関する。本方法は、装置において、送信のために別の装置によって使用されるべき複数のチャネルを示す第１の情報と、送信の持続時間を示す第２の情報とを備えるフレームを受信することを備える。本方法はまた、第１の情報に基づいて複数のチャネルを決定することと、第２の情報に基づいて持続時間を算出することと、少なくとも算出された持続時間中の間、本装置が複数のチャネル上で送信するのを妨げることとを備える。
【００１２】
[0012]第８の態様は、ワイヤレス通信のための装置に関する。本装置は、送信のために別の装置によって使用されるべき複数のチャネルを示す第１の情報と、送信の持続時間を示す第２の情報とを備えるフレームを受信するための手段を備える。本装置はまた、第１の情報に基づいて複数のチャネルを決定するための手段と、第２の情報に基づいて持続時間を算出するための手段と、少なくとも算出された持続時間中の間、本装置が複数のチャネル上で送信するのを妨げるための手段とを備える。
【００１３】
[0013]第９の態様はコンピュータ可読媒体に関する。本コンピュータ可読媒体は、装置において、送信のために別の装置によって使用されるべき複数のチャネルを示す第１の情報と、送信の持続時間を示す第２の情報とを備えるフレームを受信するためのその上に記憶された命令を備える。本コンピュータ可読媒体はまた、第１の情報に基づいて複数のチャネルを決定することと、第２の情報に基づいて持続時間を算出することと、少なくとも算出された持続時間中の間、装置が複数のチャネル上で送信するのを妨げることとを行うためのその上に記憶された命令を備える。
【００１４】
[0014]第１０の態様はワイヤレスノードに関する。本ワイヤレスノードは、少なくとも１つのアンテナと、送信のために装置によって使用されるべき複数のチャネルを示す第１の情報と、送信の持続時間を示す第２の情報とを備えるフレームを少なくとも１つのアンテナを介して受信するように構成される受信機とを備える。本ワイヤレスノードはまた、第１の情報に基づいて複数のチャネルを決定することと、第２の情報に基づいて持続時間を算出することと、少なくとも算出された持続時間中の間、本ワイヤレスノードが複数のチャネル上で送信するのを妨げることとを行うように構成される処理システムを備える。
【図面の簡単な説明】
【００１５】
【図１】本開示のいくつかの態様による、例示的なワイヤレス通信システムを示す図。
【図２】本開示のいくつかの態様による、例示的なアクセスポイントおよびアクセス端末のブロック図。
【図３】本開示のいくつかの態様による、例示的なフレーム構造を示す図。
【図４】本開示のいくつかの態様による、ヘッダ中の例示的なフィールドを示す表。
【図５Ａ】本開示のいくつかの態様による、チャネルボンディングのための例示的なフレーム構造を示す図。
【図５Ｂ】本開示のいくつかの態様による、４つのチャネルをボンディングするための図５Ａ中のフレーム構造の拡張を示す図。
【図６】本開示のいくつかの態様による、ＮＡＶ算出における変更を回避するための例示的な方法を示すフローチャート。
【図７】本開示のいくつかの態様による、ＮＡＶ算出における変更を回避するための別の例示的な方法を示すフローチャート。
【図８】本開示のいくつかの態様による、ワイヤレス通信のための方法のフローチャート。
【図９】本開示のいくつかの態様による、ワイヤレス通信のための別の方法のフローチャート。
【図１０】本開示のいくつかの態様による、デバイスを示すブロック図。
【発明を実施するための形態】
【００１６】
[0026]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載される態様をいくつ使用しても、装置は実装され得、または方法は実施され得る。さらに、本開示の範囲は、本明細書に記載される本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００１７】
[0027]「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。
【００１８】
[0028]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および送信プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００１９】
[0029]本明細書で説明される技法は、直交多重化スキームに基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のアクセス端末に属するデータを同時に送信するために十分に異なる方向を利用し得る。ＴＤＭＡシステムは、送信信号を異なるタイムスロットに分割することによって、複数のアクセス端末が同じ周波数チャネルを共有することを可能にし得、各タイムスロットは異なるアクセス端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００２０】
[0030]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００２１】
[0031]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２２】
[0032]アクセス端末（「ＡＴ」）は、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２３】
[0033]図１は、アクセスポイントとアクセス端末とをもつワイヤレス通信システム１００の一例を示す。簡単のために、ただ１つのアクセスポイント１１０が図１に示されている。アクセスポイントは、概して、アクセス端末と通信する固定局であり、基地局または何らかの他の用語で呼ばれることもある。アクセス端末は、固定または移動であり得、移動局、ワイヤレスデバイスまたは何らかの他の用語で呼ばれることもある。アクセスポイント１１０は、ダウンリンクおよびアップリンク上で所与の瞬間において１つまたは複数のアクセス端末１２０と通信し得る。ダウンリンク（すなわち、順方向リンク）はアクセスポイントからアクセス端末への通信リンクであり、アップリンク（すなわち、逆方向リンク）はアクセス端末からアクセスポイントへの通信リンクである。アクセス端末はまた、別のアクセス端末とピアツーピアで通信し得る。システムコントローラ１３０が、アクセスポイントに結合し、アクセスポイントのための協調および制御を行う。
【００２４】
[0034]図２は、ワイヤレス通信システム１００におけるアクセスポイント１１０およびアクセス端末１２０のブロック図を示す。アクセスポイント１１０は、ダウンリンクでは送信エンティティであり、アップリンクでは受信エンティティである。アクセス端末１２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。
【００２５】
[0035]データを送信するために、アクセスポイント１１０は、送信データプロセッサ２２０と、フレームビルダー２２２と、送信プロセッサ２２４と、トランシーバ２２６と、１つまたは複数のアンテナ２３０（簡単のために、１つのアンテナが示されている）とを備える。アクセスポイント１１０は、以下でさらに説明されるように、アクセスポイント１１０の動作を制御するためのコントローラ２３４をも備える。
【００２６】
[0036]動作中、送信データプロセッサ２２０は、データソース２１５からデータ（たとえば、データビット）を受信し、送信のためにデータを処理する。たとえば、送信データプロセッサ２２０は、データ（たとえば、データビット）を符号化されたデータに符号化し、符号化されたデータをデータシンボルに変調し得る。送信データプロセッサ２２０は、異なる変調およびコーディングスキーム（ＭＣＳ：modulation and coding scheme）をサポートし得る。たとえば、送信データプロセッサ２２０は、複数の異なるコーディングレートのうちのいずれか１つで（たとえば、低密度パリティチェック（ＬＤＰＣ）符号化を使用して）データを符号化し得る。また、送信データプロセッサ２２０は、限定はしないが、ＢＰＳＫ、ＱＰＳＫ、１６ＱＡＭ、６４ＱＡＭ、６４ＡＰＳＫ、１２８ＡＰＳＫ、２５６ＱＡＭ、および２５６ＡＰＳＫを含む、複数の異なる変調スキームのうちのいずれか１つを使用して、符号化されたデータを変調し得る。いくつかの態様では、コントローラ２３４は、（たとえば、ダウンリンクのチャネル状態に基づいて）どの変調およびコーディングスキーム（ＭＣＳ）を使用すべきかを指定するコマンドを送信データプロセッサ２２０に送り得、送信データプロセッサ２２０は、指定されたＭＣＳに従ってデータソース２１５からのデータを符号化および変調し得る。送信データプロセッサ２２０は、データスクランブリングおよび／または他の処理など、追加の処理をデータに対して実行し得ることを諒解されたい。送信データプロセッサ２２０は、フレームビルダー２２２にデータシンボルを出力する。
【００２７】
[0037]フレームビルダー２２２は、（パケットとも呼ばれる）フレームを構成し、フレームのデータペイロードにデータシンボルを挿入する。フレームは、プリアンブルと、ヘッダと、データペイロードとを含み得る。プリアンブルは、以下でさらに説明されるように、アクセス端末１２０がフレームを受信するのを支援するために、ショートトレーニングフィールド（ＳＴＦ）シーケンスとチャネル推定（ＣＥ）シーケンスとを含み得る。ヘッダは、データの長さ、ならびにデータを符号化および変調するために使用されるＭＣＳなど、ペイロード中のデータに関係する情報を含み得る。この情報は、アクセス端末１２０がデータを復調および復号することを可能にする。ペイロード中のデータは複数のブロックの間で分割され得、ここで、各ブロックは、データの一部分と、受信機の位相追跡を支援するためのガードインターバル（ＧＩ）とを含み得る。フレームビルダー２２２は、送信プロセッサ２２４にフレームを出力する。
【００２８】
[0038]送信プロセッサ２２４は、ダウンリンク上での送信のためにフレームを処理する。たとえば、送信プロセッサ２２４は、直交周波数分割多重（ＯＦＤＭ）送信モードおよびシングルキャリア（ＳＣ）送信モードなど、異なる送信モードをサポートし得る。この例では、コントローラ２３４は、どの送信モードを使用すべきかを指定するコマンドを送信プロセッサ２２４に送り得、送信プロセッサ２２４は、指定された送信モードに従って送信のためにフレームを処理し得る。
【００２９】
[0039]トランシーバ２２６は、１つまたは複数のアンテナ２３０を介した送信のために送信プロセッサ２２４の出力を受信および処理（たとえば、アナログに変換、増幅、フィルタ処理、および周波数アップコンバート）する。たとえば、トランシーバ２２６は、送信プロセッサ２２４の出力を、６０ＧＨｚ範囲中の周波数を有する送信信号にアップコンバートし得る。
【００３０】
[0040]いくつかの態様では、送信プロセッサ２２４は、多出力多入力（ＭＩＭＯ）送信をサポートし得る。これらの態様では、アクセスポイント１１０は、複数のアンテナ２３０と、複数のトランシーバ２２６（たとえば、各アンテナについて１つ）とを含み得る。送信プロセッサ２２４は、着信データシンボルに対して空間処理を実行し、複数のアンテナ２３０に複数の送信シンボルストリームを与え得る。トランシーバ２２６は、アンテナ２３０を介した送信のための送信信号を生成するために、それぞれの送信シンボルストリームを受信および処理（たとえば、アナログに変換、増幅、フィルタ処理、および周波数アップコンバート）する。
【００３１】
[0041]データを送信するために、アクセス端末１２０は、送信データプロセッサ２６０と、フレームビルダー２６２と、送信プロセッサ２６４と、トランシーバ２６６と、１つまたは複数のアンテナ２７０（簡単のために、１つのアンテナが示されている）とを備える。アクセス端末１２０は、アップリンク上でアクセスポイント１１０にデータを送信し、および／または（たとえば、ピアツーピア通信のために）別のアクセス端末にデータを送信し得る。アクセス端末１２０は、以下でさらに説明されるように、アクセス端末１２０の動作を制御するためのコントローラ２７４をも備える。
【００３２】
[0042]動作中、送信データプロセッサ２６０は、データソース２５５からデータ（たとえば、データビット）を受信し、送信のためにデータを処理（たとえば、符号化および変調）する。送信データプロセッサ２６０は、異なるＭＣＳをサポートし得る。たとえば、送信データプロセッサ２６０は、複数の異なるコーディングレートのうちのいずれか１つで（たとえば、ＬＤＰＣ符号化を使用して）データを符号化し、限定はしないが、ＢＰＳＫ、ＱＰＳＫ、１６ＱＡＭ、６４ＱＡＭ、６４ＡＰＳＫ、１２８ＡＰＳＫ、２５６ＱＡＭ、および２５６ＡＰＳＫを含む、複数の異なる変調スキームのうちのいずれか１つを使用して、符号化されたデータを変調し得る。いくつかの態様では、コントローラ２７４は、（たとえば、アップリンクのチャネル状態に基づいて）どのＭＣＳを使用すべきかを指定するコマンドを送信データプロセッサ２６０に送り得、送信データプロセッサ２６０は、指定されたＭＣＳに従ってデータソース２５５からのデータを符号化および変調し得る。送信データプロセッサは、データに対して追加の処理を実行し得ることを諒解されたい。送信データプロセッサ２６０は、フレームビルダー２６２にデータシンボルを出力する。
【００３３】
[0043]フレームビルダー２６２は、フレームを構成し、フレームのデータペイロードに受信されたデータシンボルを挿入する。フレームは、プリアンブルと、ヘッダと、データペイロードとを含み得る。プリアンブルは、以下でさらに説明されるように、アクセスポイント１１０および／または別のアクセス端末がフレームを受信するのを支援するために、ＳＴＦシーケンスとＣＥシーケンスとを含み得る。ヘッダは、データの長さ、ならびにデータを符号化および変調するために使用されるＭＣＳなど、ペイロード中のデータに関係する情報を含み得る。ペイロード中のデータは複数のブロックの間で分割され得、ここで、各ブロックは、以下でさらに説明されるように、データの一部分と、アクセスポイントおよび／または別のアクセス端末の位相追跡を支援するためのガードインターバル（ＧＩ）とを含み得る。フレームビルダー２６２は、送信プロセッサ２６４にフレームを出力する。
【００３４】
[0044]送信プロセッサ２６４は、送信のためにフレームを処理する。たとえば、送信プロセッサ２６４は、ＯＦＤＭ送信モードおよびＳＣ送信モードなど、異なる送信モードをサポートし得る。この例では、コントローラ２７４は、どの送信モードを使用すべきかを指定するコマンドを送信プロセッサ２６４に送り得、送信プロセッサ２６４は、指定された送信モードに従って送信のためにフレームを処理し得る。
【００３５】
[0045]トランシーバ２６６は、１つまたは複数のアンテナ２７０を介した送信のために送信プロセッサ２６４の出力を受信および処理（たとえば、アナログに変換、増幅、フィルタ処理、および周波数アップコンバート）する。たとえば、トランシーバ２６６は、送信プロセッサ２６４の出力を、６０ＧＨｚ範囲中の周波数を有する送信信号にアップコンバートし得る。
【００３６】
[0046]いくつかの態様では、送信プロセッサ２６４は、多出力多入力（ＭＩＭＯ）送信をサポートし得る。これらの態様では、アクセス端末１２０は、複数のアンテナ２７０と、複数のトランシーバ２６６（たとえば、各アンテナについて１つ）とを含み得る。送信プロセッサ２６４は、着信データシンボルに対して空間処理を実行し、複数のアンテナ２７０に複数の送信シンボルストリームを与え得る。トランシーバ２６６は、アンテナ２７０を介した送信のための送信信号を生成するために、それぞれの送信シンボルストリームを受信および処理（たとえば、アナログに変換、増幅、フィルタ処理、および周波数アップコンバート）する。
【００３７】
[0047]データを受信するために、アクセスポイント１１０は、受信プロセッサ２４２と受信データプロセッサ２４４とを備える。動作中、トランシーバ２２６は、（たとえば、アクセス端末１２０から）信号を受信し、受信された信号を処理（たとえば、周波数ダウンコンバート、増幅、フィルタ処理およびデジタルに変換）する。
【００３８】
[0048]受信プロセッサ２４２は、トランシーバ２２６の出力を受信し、データシンボルを復元するために出力を処理する。たとえば、アクセスポイント１１０は、上記で説明されたように、フレーム中で（たとえば、アクセス端末１２０から）データを受信し得る。この例では、受信プロセッサ２４２は、フレームのプリアンブル中のＳＴＦシーケンスを使用してフレームの開始を検出し得る。受信プロセッサ２４２はまた、自動利得制御（ＡＧＣ）調整のためにＳＴＦを使用し得る。受信プロセッサ２４２はまた、（たとえば、フレームのプリアンブル中のＣＥシーケンスを使用して）チャネル推定を実行し、チャネル推定に基づいて、受信された信号に対してチャネル等化を実行し得る。さらに、受信プロセッサ２４２は、以下でさらに説明されるように、ペイロード中のガードインターバル（ＧＩ）を使用して位相を推定し、推定された位相に基づいて、受信された信号中の位相雑音を低減し得る。位相雑音は、周波数変換のために使用される、アクセス端末１２０における局部発振器からの雑音、および／またはアクセスポイント１１０における局部発振器からの雑音に起因し得る。位相雑音はチャネルからの雑音をも含み得る。受信プロセッサ２４２はまた、フレームのヘッダから情報（たとえば、ＭＣＳスキーム）を復元し、コントローラ２３４に情報を送り得る。チャネル等化および／または位相雑音低減を実行した後、受信プロセッサ２４２は、以下でさらに説明されるように、フレームからデータシンボルを復元し、さらなる処理のために受信データプロセッサ２４４に復元されたデータシンボルを出力し得る。
【００３９】
[0049]受信データプロセッサ２４４は、受信プロセッサ２４２からデータシンボルを受信し、コントローラ２３４から対応するＭＣＳスキームのインジケーションを受信する。受信データプロセッサ２４４は、示されたＭＣＳスキームに従ってデータを復元するために、データシンボルを復調および復号し、記憶および／またはさらなる処理のために、復元されたデータ（たとえば、データビット）をデータシンク２４６に出力する。
【００４０】
[0050]上記で説明されたように、アクセス端末１２０は、ＯＦＤＭ送信モードまたはＳＣ送信モードを使用してデータを送信し得る。この場合、受信プロセッサ２４２は、選択された送信モードに従って受信信号を処理し得る。また、上記で説明されたように、送信プロセッサ２６４は、多出力多入力（ＭＩＭＯ）送信をサポートし得る。この場合、アクセスポイント１１０は、複数のアンテナ２３０と複数のトランシーバ２２６（たとえば、各アンテナについて１つ）とを含み得る。各トランシーバ２２６は、それぞれのアンテナ２３０からの信号を受信および処理（たとえば、周波数ダウンコバート、増幅、フィルタ処理、デジタルに変換）する。受信プロセッサ２４２は、データシンボルを復元するために、トランシーバの出力に対して空間処理を実行し得る。
【００４１】
[0051]データを受信するために、アクセス端末１２０は、受信プロセッサ２８２と受信データプロセッサ２８４とを備える。動作中、トランシーバ２６６は、（たとえば、アクセスポイント１１０または別のアクセス端末から）信号を受信し、受信された信号を処理（たとえば、周波数ダウンコンバート、増幅、フィルタ処理およびデジタルに変換）する。
【００４２】
[0052]受信プロセッサ２８２は、トランシーバ２６６の出力を受信し、データシンボルを復元するために出力を処理する。たとえば、アクセス端末１２０は、上記で説明されたように、フレーム中で（たとえば、アクセスポイント１１０または別のアクセス端末から）データを受信し得る。この例では、受信プロセッサ２８２は、フレームのプリアンブル中のＳＴＦシーケンスを使用してフレームの開始を検出し得る。受信プロセッサ２８２はまた、（たとえば、フレームのプリアンブル中のＣＥシーケンスを使用して）チャネル推定を実行し、チャネル推定に基づいて、受信された信号に対してチャネル等化を実行し得る。さらに、受信プロセッサ２８２は、以下でさらに説明されるように、ペイロード中のガードインターバル（ＧＩ）を使用して位相を推定し、推定された位相に基づいて、受信された信号中の位相雑音を低減し得る。受信プロセッサ２８２はまた、フレームのヘッダから情報（たとえば、ＭＣＳスキーム）を復元し、コントローラ２７４に情報を送り得る。チャネル等化および／または位相雑音低減を実行した後、受信プロセッサ２８２は、以下でさらに説明されるように、フレームからデータシンボルを復元し、さらなる処理のために受信データプロセッサ２８４に復元されたデータシンボルを出力し得る。
【００４３】
[0053]受信データプロセッサ２８４は、受信プロセッサ２８２からデータシンボルを受信し、コントローラ２７４から対応するＭＣＳスキームのインジケーションを受信する。受信データプロセッサ２８４は、示されたＭＣＳスキームに従ってデータを復元するために、データシンボルを復調および復号し、記憶および／またはさらなる処理のために、復元されたデータ（たとえば、データビット）をデータシンク２８６に出力する。
【００４４】
[0054]上記で説明されたように、アクセスポイント１１０または別のアクセス端末は、ＯＦＤＭ送信モードまたはＳＣ送信モードを使用してデータを送信し得る。この場合、受信プロセッサ２８２は、選択された送信モードに従って受信信号を処理し得る。また、上記で説明されたように、送信プロセッサ２２４は、多出力多入力（ＭＩＭＯ）送信をサポートし得る。この場合、アクセス端末１２０は、複数のアンテナ２７０と複数のトランシーバ２６６（たとえば、各アンテナについて１つ）とを含み得る。各トランシーバ２６６は、それぞれのアンテナ２７０からの信号を受信および処理（たとえば、周波数ダウンコバート、増幅、フィルタ処理、デジタルに変換）する。受信プロセッサ２８２は、データシンボルを復元するために、トランシーバの出力に対して空間処理を実行し得る。
【００４５】
[0055]図２に示されているように、アクセスポイント１１０は、コントローラ２３４に結合されたメモリ２３６をも備える。メモリ２３６は、コントローラ２３４によって実行されたとき、本明細書で説明される動作のうちの１つまたは複数をコントローラ２３４に実行させる命令を記憶し得る。同様に、アクセス端末１２０は、コントローラ２７４に結合されたメモリ２７６をも備える。メモリ２７６は、コントローラ２７４によって実行されたとき、本明細書で説明される動作のうちの１つまたは複数をコントローラ２７４に実行させる命令を記憶し得る。
【００４６】
[0056]図３は、本開示のいくつかの態様による、例示的なフレーム構造３００を示す。フレーム３００は、プリアンブル３０５と、ヘッダ３１０と、ペイロード３１５と、オプションのビームフォーミングトレーニングフィールド３２０とを備える。フレーム３００は追加のフィールドを備え得ることを諒解されたい。プリアンブル３０５は、ショートトレーニングフィールド（ＳＴＦ）シーケンス３３０とチャネル推定（ＣＥ）シーケンス３４０とを備え得る。ＳＴＦシーケンスは、受信機が、フレームの残りおよび場合によっては後続のフレームを正確に受信するために自動利得制御（ＡＧＣ）、時間同期、および周波数オフセット消去を実行するのを支援し得る。たとえば、ＳＴＦシーケンスは、複数のゴレイシーケンス（Golay sequence）（Ｇａ128）と、ＳＴＦシーケンスの終端を示すための負のゴレイシーケンス（−Ｇａ128）とを含み得る。ＳＴＦシーケンス３３０がこの例に限定されないこと、および他のゴレイシーケンスが使用され得ることを諒解されたい。
【００４７】
[0057]ＣＥシーケンス３４０は、受信機がチャネル推定を実行するのを支援し得る。この点について、ＣＥシーケンス３４０はゴレイーケンスを備え得る。たとえば、ＳＣ送信モードの場合、ＣＥシーケンスは、（以下の連結されたゴレイシーケンス（−Ｇｂ128、−Ｇａ128、Ｇｂ128、−Ｇａ128）からなる）Ｇｕ512シーケンスと、後続の（以下の連結されたゴレイシーケンス（−Ｇｂ128、Ｇａ128、−Ｇｂ128、−Ｇａ128）からなる）Ｇｖ512シーケンスとを含み、（−Ｇｂ128と同じ）Ｇｖ128シーケンスで終了し得る。ＯＦＤＭ送信モードの場合、ＣＥシーケンスは、Ｇｖ512シーケンスと、後続のＧｕ512シーケンスとを含み、Ｇｖ128シーケンスで終了し得る。ＣＥシーケンス３４０が上記の例に限定されないこと、およびＣＥシーケンス３４０のために他のゴレイシーケンスが使用され得ることを諒解されたい。
【００４８】
[0058]ヘッダ３１０は、フレームに関する様々な情報を含む。図３は、６０ＧＨｚ範囲中のＷＬＡＮのためにＩＥＥＥ８０２．１１ａｄ規格において使用されるヘッダ３１０の一例を示す。しかしながら、本開示の態様がこの例に限定されないことを諒解されたい。この例では、ヘッダ３１０は、スクランブラ初期化フィールド３５０と、変調およびコーディングスキーム（ＭＣＳ）フィールド３５２と、長さフィールド３５４と、追加のＰＰＤＵフィールド３５６と、パケットタイプフィールド３５８と、トレーニング長さフィールド３６０と、アグリゲーションフィールド３６２と、ビーム追跡要求フィールド３６４と、最後のＲＳＳＩフィールド３６６と、ターンアラウンドフィールド３６８と、予約済みフィールド３７０と、ヘッドチェックシーケンス（ＨＣＳ）フィールド３７２とを含み得る。フィールドのうちのいくつかが以下でさらに説明される。
【００４９】
[0059]スクランブラ初期化フィールド３５０は、初期スクランブラ状態を示す。ＭＣＳフィールド３５２は、ペイロード３１５中のデータを変調および符号化するために使用されるＭＣＳを示す。長さフィールド３５４は、ペイロード３１５中の（たとえば、オクテットでの）データの量を示す。以下でさらに説明されるように、長さフィールド３５４はまた、衝突回避目的のために、ネットワーク割振りベクトル（ＮＡＶ：network allocation vector）を算出するために非ターゲット受信機によって使用され得る。トレーニング長さフィールド３６０は、オプションのビームフォーミングトレーニングフィールド３２０の長さを示す。ビームフォーミングトレーニングフィールド３２０は、送信機において、送信された信号を受信機に向けるためにビームステアリングが使用される場合、ビームフォーミング情報を含み得る。最後のＲＳＳＩフィールド３６６は、ＴＸＶＥＣＴＯＲからのパラメータＬＡＳＴ＿ＲＳＳＩのコピーを含む。予約済みフィールド３７０は、将来の使用のためのヘッダ３１０中の予約ビット（たとえば、４ビット）を含む。ＨＣＳフィールド３７２は、ヘッダビットについてのチェックサムを与える。図４中の表は、ヘッダ３１０の各フィールドについてスタートビットとビットの数との例を与える。
【００５０】
[0060]ペイロード３１５は、複数のブロックに分割される。各ブロックは、ガードインターバル（ＧＩ）とペイロード３１５中のデータの一部分とを備える。各ブロック中のＧＩは、受信機が位相追跡するのを支援するために、受信機によってアプリオリに知られる基準を備える。ＧＩはまた、周波数領域等化のために使用され得る。
【００５１】
[0061]上記で説明されたように、図３は、ＩＥＥＥ８０２．１１ａｄ規格に従うフレーム構造の一例を示す。ＩＥＥＥ８０２．１１ａｄ規格の後継である、ＩＥＥＥ８０２．１１ａｙ規格は、より高いシンボルレートとより高いコンスタレーションとをもつチャネルボンディング（ＣＢ）を使用してスループットを増加させるために開発されている。ＩＥＥＥ８０２．１１ａｄでは、送信機は、６０ＧＨｚ帯域中の４つのチャネルのうちの１つの上でデータを送信する。ＩＥＥＥ８０２．１１ａｙは、チャネルボンディング（ＣＢ）をサポートすることになり、それは、受信機が、増加されたスループットのために一緒にボンディングされた２つまたはそれ以上のチャネル上でデータを送信することを可能にする。この送信は、任意の定義された変調、すなわち、ＯＦＤＭ、広帯域シングルキャリア（ＳＣ）、アグリゲートＳＣ、または重複を使用し得る。ＣＢでは、送信は、プロトコルＰＨＹタイムアウト（たとえば、ＳＩＦＳ）と比較して小さい、最大で、使用され得る所与の遅延で、すべてのボンデッドチャネル上で同時に開始および終了する。ＣＢモード（２つまたはそれ以上のチャネル）でのすべての送信が、各チャネル上でＳＴＦ＋ＣＥ＋ヘッダで開始し得る。これらは、８０２．１１ａｄ互換送信であり得る送信であり、したがって、信号が十分な電力で受信機に到着することを仮定すれば、ボンデッドチャネルのうちのいずれかに同調されたどんな８０２．１１ａｄ受信機および８０２．１１ａｙ受信機も、ヘッダを復号することができる。追加の詳細は、たとえば、その明細書全体が参照により本明細書に組み込まれる、２０１５年４月１４日に出願された米国仮出願第６２／１４７，４７９号において見つけられ得る。
【００５２】
[0062]図５Ａは、チャネルボンディングを使用して第１のチャネルおよび第２のチャネル上でデータを送信するための例示的なフレーム構造５００Ａを示す。以下でさらに説明されるように、フレーム構造は、３チャネルボンディング、４チャネルボンディングなどに拡張され得る。この例では、フレーム５００Ａは、図５Ａに示されているように、第１および第２のチャネル上で冗長的に送信されるプリアンブル５０５とヘッダ５１０とを含み得る。チャネルの各々は、１．７６ＧＨｚの帯域幅または別の帯域幅を有し得る。いくつかの態様では、プリアンブル５０５およびヘッダ５１０の基本構造は、後方準拠（backwards compliant）であるために、ＩＥＥＥ８０２．１１ａｄ規格に従い得る。これは、（本明細書では「レガシー」受信機と呼ばれる）８０２．１１ａｄ受信機が、以下でさらに説明されるように、（たとえば、衝突回避目的のために）ヘッダ５１０の全部または一部分を復号するために第１のチャネルまたは第２のチャネルをリッスンすることを可能にし得る。さらに、８０２．１１ａｙ受信機がヘッダ５１０を復号することができる。ヘッダ５１０は、範囲内８０２．１１ａｄおよび８０２．１１ａｙ受信機による受信のためのロバストな送信を与えるために、低いＭＣＳ（たとえば、ヘッダのために８０２．１１ａｄ規格において指定されているＭＣＳ）を使用して変調および符号化され得る。
【００５３】
[0063]フレーム構造５００Ａはまた、第１のチャネル上で送信される拡張ヘッダ５２０ａと、第２のチャネル上で送信される拡張ヘッダ５２０ｂとを含み得る。拡張ヘッダ５２０ａおよび５２０ｂは、ボンデッドチャネルのための送信パラメータ（たとえば、ＭＣＳ、データ長、送信モードなど）を指定し得る。いくつかの態様では、拡張ヘッダ５２０ａおよび５２０ｂは、ターゲット受信機（宛先受信機）を対象とし、したがって、より高い効率のためにヘッダ５１０よりも高いＭＣＳを使用して変調および符号化され得る。拡張ヘッダに関する追加の詳細は、たとえば、上記で説明された米国仮出願第６２／１４７，４７９号において見つけられ得る。
【００５４】
[0064]フレーム構造５００Ａはまた、たとえば、広帯域シングルキャリア（ＳＣ）送信モードで、ボンデッドチャネル上で送信されるＳＴＦフィールド５３０とＣＥフィールド５３５とペイロード５４０とを備える。ＳＴＦフィールド５３０は、ターゲット受信機（たとえば、８０２．１１ａｙ受信機）の自動利得制御（ＡＧＣ）、時間同期、および周波数収集を支援するために、１つまたは複数のゴレイシーケンスを含み得る。ＣＥフィールド５３５は、ターゲット受信機（たとえば、８０２．１１ａｙ受信機）のチャネル推定を支援するために、１つまたは複数のゴレイシーケンスを含み得る。ペイロード５４０は、ボンデッドチャネル上で送信されるデータを含む。データは、限定はしないが、ＢＰＳＫ、ＱＰＳＫ、１６ＱＡＭ、６４ＱＡＭ、６４ＡＰＳＫ、１２８ＡＰＳＫ、２５６ＱＡＭおよび２５６ＡＰＳＫを含む、複数のＭＣＳのうちのいずれか１つを使用して変調され得る。ＳＴＦフィールド５３０、ＣＥフィールド５３５およびペイロード５４０に関する追加の詳細は、たとえば、上記で説明された米国仮出願第６２／１４７，４７９号において見つけられ得る。
【００５５】
[0065]図５Ａは、２チャネルボンディングのための例示的なフレーム構造５００Ａを示す。ただし、本開示がこの例に限定されないこと、およびフレーム構造５００Ａが３チャネルボンディング、４チャネルボンディングなどに拡張され得ることを諒解されたい。この点について、図５Ｂは、図５Ａ中のフレーム構造５００Ａの拡張である４チャネルボンディングのためのフレーム構造５００Ｂを示す。図５Ｂに示されているように、プリアンブル５０５およびヘッダ５１０（たとえば、レガシー８０２．１１ａｄプリアンブルおよびヘッダ）は４つのチャネル上で冗長的に送信され得、ペイロード５４０は、チャネルボンディングを使用して４つのチャネル上で送信され得る。チャネルボンディングに好適なフレームフォーマットの追加の例は、たとえば、上記で説明された米国仮出願第６２／１４７，４７９号において見つけられ得る。
【００５６】
[0066]極近傍にある２つまたはそれ以上のワイヤレスノードが同時に同じチャネル上で送信するとき、衝突がワイヤレス通信システムにおいて発生し得る。そのような衝突を回避するために、１つまたは複数のチャネルを使用することを希望するワイヤレスノードは、ワイヤレス通信システムにおける媒体使用に関するできる限り多くの情報を有する（たとえば、チャネルがフリーであるのか別のワイヤレスノードによって使用されているのかを決定する）必要がある。一方、ワイヤレスノードは、電力を節約するためにできる限りスリープモードにあることを希望し得る。これらの競合する問題により、ワイヤレスノードは、電力を節約するためにスリープモードにとどまり、ワイヤレスノードがワイヤレス通信システムにおける媒体利用および媒体利用可能性に関する情報を必要とするとき、スリープから起動し得る。ワイヤレスノードはアクセス端末１２０またはアクセスポイント１１０であり得る。
【００５７】
[0067]第１の手法では、ワイヤレスノードのペアが、ワイヤレスノードの一方が他方のワイヤレスノードにデータを送信することを希望するとき、ハンドシェイクプロシージャ中に送信要求（ＲＴＳ：request to send）および送信可（ＣＴＳ：clear to send）メッセージを交換し得る。ＲＴＳおよびＣＴＳは、送信のために使用されるべき１つまたは複数のチャネルと、送信の持続時間（たとえば、ＴＸＯＰ持続時間）とを示す情報を含み得る。システムにおける第３のワイヤレスノード（たとえば、ＡＰまたはＡＴ）は、ＲＴＳおよび／またはＣＴＳを受信し、ＲＴＳおよび／またはＣＴＳ中で示された１つまたは複数のチャネルが占有（予約）されたと決定し得る。第３のワイヤレスノードはまた、ＲＴＳおよび／またはＣＴＳから、１つまたは複数のチャネルが使用されることになる持続時間（たとえば、ＴＸＯＰ持続時間）を決定し得る。第３のワイヤレスノードは、次いで、衝突を回避するために、決定された持続時間の間、１つまたは複数のチャネル上で送信することを回避し得る。この手法の問題は、第３のワイヤレスノードが、ＲＴＳおよび／またはＣＴＳが送信されるときにオンである機会（したがって、第３のワイヤレスノードが、ＲＴＳおよび／またはＣＴＳを受信する機会）が低くなり得ることである。
【００５８】
[0068]第２の手法では、ワイヤレスノードが、１つまたは複数のチャネル上での他のワイヤレスノードによる送信を検知（検出）するために、１つまたは複数のチャネルに対して測定を実行し得る。しかしながら、この手法の問題は、この検知の感度が低いことである。受信機は、最も低いＭＣＳ（変調およびコーディングを含む送信モード）において、実際の受信機感度を２０ｄＢ以上上回る送信を検出する必要がある。したがって、信号が干渉するがこの手法を使用して検出されない、少なくとも２０ｄＢのギャップがある。
【００５９】
[0069]第３の手法では、ワイヤレスノードが、チャネルがフリー（クリア）であるかどうかを決定するために、モニタ期間の間、チャネルをリッスンする。チャネルをリッスンする間、ワイヤレスノードは、チャネル上で別のワイヤレスノードによって送信されたフレームの開始に遭遇し得る（ＴＸＯＰは、通常、通常小さい期間（たとえば、ＳＩＦＳ）だけ分離される、多くのフレームからなる）。ワイヤレスノードは、ヘッダを復号し、このフレームのためにこのチャネルの媒体利用を得ることができる。ヘッダ受信感度は極めて良好である（たとえば、どのペイロードＭＣＳよりも著しく良好である）。たとえば、ワイヤレスノードは、ヘッダの長さフィールドからフレームのための送信持続時間を決定し、したがって、どのくらいの時間の間チャネルが使用されることになるかを決定し得る。ワイヤレスノードは、次いで、送信持続時間の間スリープすること、および／または異なるチャネルを試みることを決定し得る。フレームが終了した後、ＴＸＯＰがまだ完了されない場合、次のフレームが開始することになる。この場合、ワイヤレスノードは、次のフレーム中のヘッダから次のフレームの送信持続時間を決定し、次のフレームの持続時間の間スリープに戻り得、以下同様である。上記で説明されたヘッダが、レガシー８０２．１１ａｄヘッダであり、それのチャネルのみに関して情報を有することに留意されたい。
【００６０】
[0070]８０２．１１ａｙ通信が直面する課題は、送信を検出するための８０．２１１ａｙワイヤレスノードの能力を改善することである。
【００６１】
[0071]第２の問題は、８０２．１１ａｙワイヤレスノードが通常、１つのチャネル（「プライマリ」チャネル）に留まることである。送信する前に、ワイヤレスノードは、それが使用しようとするすべてのチャネルをリッスンし得るが、他のチャネルに関する情報を有しない。どのチャネルがフリーであるかを確かめるためにすべてのチャネルをリッスンするようにワイヤレスノードに要求することが、特殊なハードウェア、特殊な機能を必要とし得、著しい電力を消費する。
【００６２】
[0072]上記のことに対処するために、チャネルボンディング（ＣＢ）情報がフレーム（たとえば、フレームのレガシーヘッダ）中に含まれ得、ここで、ＣＢ情報は、いくつかの態様によれば、フレームがその上で送信されるチャネルのすべてを示す。ワイヤレスノードは、チャネルのうちの１つの上でＣＢ情報を受信し得る。これは、使用されることになるチャネルのすべてにワイヤレスノードが同調されるとは限らない場合でも、ワイヤレスノードがこれらのチャネルのすべてを理解することを可能にする（したがって、チャネルのすべて上での衝突を回避する）。
【００６３】
[0073]いくつかの態様では、ＣＢ情報は、フレーム（たとえば、フレーム５００Ａまたは５００Ｂ）の拡張ヘッダ５２０中に含まれ得る。ただし、拡張ヘッダ５２０は、主に、フレームがそれに宛てられた受信機（ターゲット受信機）を対象とし得る。送信機とターゲット受信機との間のリンクが良好であるかまたは極めて良好である場合、拡張ヘッダは、効率のためにより高いＭＣＳで送信され得る。しかしながら、ＭＣＳが高いほど、媒体を検知することを試み、好ましくないチャネル状態を有し得る近隣のワイヤレスノード（非ターゲットワイヤレスノード）がＣＢ情報を受信することは困難になる。したがって、衝突回避目的のために近隣のワイヤレスノードによる受信を可能にするためにＣＢ情報のために低いＭＣＳを使用することが望ましいことがある。
【００６４】
[0074]これに対処するために、いくつかの態様では、ＣＢ情報は、それが８０２．１１ａｄワイヤレスノードの動作に干渉しないように、レガシーヘッダ（たとえば、ヘッダ３１０または５１０）中に含まれる。レガシーヘッダは低いＭＣＳを使用するので、ＣＢ情報をレガシーヘッダに配置することが、８０２．１１ａｙワイヤレスノードが優れた感度でＣＢ情報を受信することを可能にする。さらに、この手法は、拡張ヘッダ５２０が、拡張ヘッダ５２０の効率を低減するであろう低いＭＣＳを使用することを必要としない。
【００６５】
[0075]さらに、ヘッダ（たとえば、ヘッダ３１０または５１０）は、使用されている各チャネル上で冗長的に送信され得る。これは、チャネルのうちの１つに同調されるにすぎないワイヤレスノードが、ＣＢ情報を受信し、したがって、このチャネルが使用されていると決定するだけでなく、使用されることになるすべてのチャネルをも決定することを可能にする。この時点で、ワイヤレスノードは、ＣＢ中に含まれないチャネルのうちの１つに切り替えることを選定し、それを使用することを試み得る（ワイヤレスノードは、依然として、チャネルがフリーであることを検査するために全モニタ期間を実行しなければならないことがある）。
【００６６】
[0076]いくつかの態様では、ＣＢ情報は、第１の部分がボンデッドチャネルのうちの第１の１つを示し、第２の部分がボンデッドチャネルの数を示す、２つの部分を備え得る。一緒に、ＣＢ情報の第１および第２の部分は、ボンデッドチャネルが連続すると仮定して、受信機がボンデッドチャネルを決定するために十分な情報を与える。
【００６７】
[0077]一例では、送信機が、（１〜４と標示された）最高４つのチャネル上で送信し得る。この例では、ＣＢ情報の第１の部分は、ボンディングセット中の第１のチャネルのインデックス（最小インデックス）を指定するための２ビットを備える。第１の部分はＣＢ＿ｆｉｒｓｔと示される。第２の部分は、ＣＢの長さ（１．．．４）を指定するための２ビットを備える。１の値は、送信がボンディングなしに１つのチャネルのみを使用し得るので、必要とされる。第２の部分はＣＢ＿ｓｉｚｅによって示される。
【００６８】
[0078]以下の表１は、ＣＢ＿ｆｉｒｓｔのための符号化の一例を示す。
【００６９】
【表１】
0006337220.tif 000002
【００７０】
[0079]以下の表２は、ＣＢ＿ｓｉｚｅのための符号化の一例を示す。
【００７１】
【表２】
0006337220.tif 000003
【００７２】
[0080]別の例では、送信機が、（１〜８と標示された）最高８つのチャネル上で送信し得る。この例では、ＣＢ情報の第１の部分は、ボンディングセット中の第１のチャネルのインデックス（最小インデックス）を指定するための３ビットを備える。第１の部分はＣＢ＿ｆｉｒｓｔと示される。第２の部分は、ＣＢの長さ（１．．．４）を指定するための３ビットを備える。１の値は、送信がボンディングなしに１つのチャネルのみを使用し得るので、必要とされる。第２の部分はＣＢ＿ｓｉｚｅによって示される。
【００７３】
[0081]以下の表３は、ＣＢ＿ｆｉｒｓｔのための符号化の一例を示す。
【００７４】
【表３】
0006337220.tif 000004
【００７５】
[0082]以下の表４は、ＣＢ＿ｓｉｚｅのための符号化の一例を示す。
【００７６】
【表４】
0006337220.tif 000005
【００７７】
[0083]次に、ＣＢ情報をシングルキャリア（ＳＣ）レガシーヘッダに配置するための様々な態様が説明される。
【００７８】
[0084]いくつかの態様では、最高４つのチャネルについてのＣＢ情報が、２つの例示的なオプションのうちの１つを使用して、レガシーヘッダ（たとえば、ヘッダ３１０または５１０）に配置（挿入）され得る。第１のオプションでは、ＣＢ情報は、４つのスペアビット（４４．．．４７）を有し得る予約済みフィールド３７０に配置（挿入）される。このオプションでは、すべての４つのスペアビットがＣＢ情報のために使用され得る。
【００７９】
[0085]第２のオプションでは、ＣＢ情報の第１の部分および第２の部分のうちの一方が、予約済みフィールド３７０に配置（挿入）され、予約済みフィールド３７０中の２ビットが他の目的のために残る。ＣＢ情報の第１の部分および第２の部分のうちの他方が、ヘッダの長さフィールド３５４の２つの最下位ビットに配置（挿入）され得る。８０２．１１ａｙ送信では、レガシーヘッダ中の長さは、８０２．１１ａｙペイロード長さを指定しない。むしろ、長さは、以下でさらに説明されるように、ＮＡＶ（送信の持続時間）を算出するために受信機によって使用されるにすぎない。送信持続時間は、ＦＦＴおよびＬＤＰＣブロックに量子化されるので、ＬＳＢは、送信長さを変更することなしに操作され得る。
【００８０】
[0086]いくつかの態様では、長さフィールドは、受信機におけるＮＡＶ算出における変更を回避するために、追加の変更を必要とし得る。この点について、図６は、受信機におけるＮＡＶ算出における変更を回避するための方法６００を示すフロー図である。方法６００は送信機において実行され得る。
【００８１】
[0087]６１０において、オリジナルの長さ値を用いてＮＡＶを算出する。オリジナルの長さ値は、長さ値の２つのＬＳＢにおけるＣＢビットなしの長さ値である。
【００８２】
[0088]６２０において、オリジナルの長さ値の２つのＬＳＢをＣＢ＿ｓｉｚｅおよびＣＢ＿ｆｉｒｓｔのうちの一方と交換する。ＣＢ＿ｓｉｚｅおよびＣＢ＿ｆｉｒｓｔのうちの他方が、予約済みフィールド３７０に配置され得る。
【００８３】
[0089]６３０において、修正された長さ値を用いてＮＡＶを再算出する。これは、ＮＡＶ算出へのＣＢ＿ｓｉｚｅまたはＣＢ＿ｆｉｒｓｔの影響を決定するために行われ得る。
【００８４】
[0090]６４０において、ＮＡＶがＣＢ＿ｓｉｚｅまたはＣＢ＿ｆｉｒｓｔによって不変であるかどうかの決定を行う。ＮＡＶが不変である場合、動作は完了し得る。この場合、修正された長さ値は、送信の持続時間とＣＢ＿ｓｉｚｅまたはＣＢ＿ｆｉｒｓｔとの両方を与えるために、ヘッダ（たとえば、ヘッダ３１０または５１０）の長さフィールド３５４に配置され得る。
【００８５】
[0091]６５０において、ステップ６３０におけるＮＡＶがステップ６１０におけるＮＡＶよりも大きいかどうかの決定を行う。ステップ６３０におけるＮＡＶがステップ６１０におけるＮＡＶよりも大きい場合、６５５において、第２の修正された長さ値を取得するために、修正された長さ値を４だけ低減する。この場合、第２の修正された長さ値は、送信の持続時間とＣＢ＿ｓｉｚｅまたはＣＢ＿ｆｉｒｓｔとの両方を与えるために、ヘッダの長さフィールド３５４に配置され得る。
【００８６】
[0092]ステップ６３０におけるＮＡＶがステップ６１０におけるＮＡＶよりも大きくない（すなわち、ステップ６１０におけるＮＡＶよりも小さい）場合、６６０において、第２の修正された長さ値を取得するために、修正された長さ値を４だけ増加させる。この場合、第２の修正された長さ値は、送信の持続時間とＣＢ＿ｓｉｚｅまたはＣＢ＿ｆｉｒｓｔとの両方を与えるために、ヘッダの長さフィールド３５４に配置され得る。
【００８７】
[0093]本開示が、図６中の例に示されているステップの順序に限定されないこと、およびステップの順序は変更され得ることを諒解されたい。言い換えれば、方法６００の適切な動作のためにステップの特定の順序が必要とされない限り、ステップの順序は、本開示の範囲から逸脱することなく修正され得る。
【００８８】
[0094]いくつかの態様では、最高８つのチャネルについてのＣＢ情報が、レガシーヘッダに配置（挿入）され得る。これらの態様では、ＣＢ情報の第１の部分および第２の部分のうちの一方が、予約済みフィールド３７０に配置（挿入）され、予約済みフィールド３７０中の１ビットが他の目的のために残る。ＣＢ情報の第１の部分および第２の部分のうちの他方が、ヘッダの長さフィールド３５４の３つの最下位ビットに配置（挿入）され得る。たとえば、ＣＢ＿ｓｉｚｅは、予約済みフィールドのビットロケーション４４、４５、および４６に配置され得、ＣＢ＿ｆｉｒｓｔは、長さフィールド３５４の３つのＬＢＳに配置され得、またはその逆も同様である。
【００８９】
[0095]８０２．１１ａｙ送信では、レガシーヘッダ中の長さは、８０２．１１ａｙペイロード長さを指定しない。むしろ、長さは、以下でさらに説明されるように、ＮＡＶ（送信の持続時間）を算出するために受信機によって使用されるにすぎない。送信持続時間は、ＦＦＴおよびＬＤＰＣブロックに量子化されるので、ＬＳＢは、送信長さを変更することなしに操作され得る。
【００９０】
[0096]いくつかの態様では、長さフィールドは、受信機におけるＮＡＶ算出における変更を回避するために、追加の変更を必要とし得る。この点について、図７は、受信機におけるＮＡＶ算出における変更を回避するための方法７００を示すフロー図である。動作方法は送信機において実行され得る。
【００９１】
[0097]７１０において、オリジナルの長さ値を用いてＮＡＶを算出する。オリジナルの長さ値は、長さ値の３つのＬＳＢにおけるＣＢビットなしの長さ値である。
【００９２】
[0098]７２０において、オリジナルの長さ値の３つのＬＳＢをＣＢ＿ｓｉｚｅおよびＣＢ＿ｆｉｒｓｔのうちの一方と交換する。ＣＢ＿ｓｉｚｅおよびＣＢ＿ｆｉｒｓｔのうちの他方が、予約済みフィールド３７０に配置され得る。
【００９３】
[0099]７３０において、修正された長さ値を用いてＮＡＶを再算出する。これは、ＮＡＶ算出へのＣＢ＿ｓｉｚｅまたはＣＢ＿ｆｉｒｓｔの影響を決定するために行われ得る。
【００９４】
[00100]７４０において、ＮＡＶがＣＢ＿ｓｉｚｅまたはＣＢ＿ｆｉｒｓｔによって不変であるかどうかの決定を行う。ＮＡＶが不変である場合、動作は完了し得る。この場合、修正された長さ値は、送信の持続時間とＣＢ＿ｓｉｚｅまたはＣＢ＿ｆｉｒｓｔとの両方を与えるために、ヘッダ（たとえば、ヘッダ３１０または５１０）の長さフィールド３５４に配置され得る。
【００９５】
[00101]７５０において、ステップ７３０におけるＮＡＶがステップ７１０におけるＮＡＶよりも大きいかどうかの決定を行う。ステップ７３０におけるＮＡＶがステップ７１０におけるＮＡＶよりも大きい場合、７５５において、第２の修正された長さ値を取得するために、修正された長さ値を８だけ低減する。この場合、第２の修正された長さ値は、送信の持続時間とＣＢ＿ｓｉｚｅまたはＣＢ＿ｆｉｒｓｔとの両方を与えるために、ヘッダの長さフィールド３５４に配置され得る。
【００９６】
[00102]ステップ７３０におけるＮＡＶがステップ７１０におけるＮＡＶよりも大きくない（すなわち、ステップ７１０おけるＮＡＶよりも小さい）場合、７６０において、第２の修正された長さ値を取得するために、修正された長さ値を８だけ増加させる。この場合、第２の修正された長さ値は、送信の持続時間とＣＢ＿ｓｉｚｅまたはＣＢ＿ｆｉｒｓｔとの両方を与えるために、ヘッダの長さフィールド３５４に配置され得る。
【００９７】
[00103]本開示が図７中の例に示されているステップの順序に限定されないこと、およびステップの順序は変更され得ることを諒解されたい。言い換えれば、方法７００の適切な動作のためにステップの特定の順序が必要とされない限り、ステップの順序は、本開示の範囲から逸脱することなく修正され得る。
【００９８】
[00104]本開示は上記で与えられた例に限定されないことを諒解されたい。たとえば、ＣＢボンディング情報は、最高４つのチャネルについて４ビットを使用して符号化され得、ここで、各ビットは、対応するチャネルが使用されているかどうかを示す。別の例では、ＣＢボンディング情報は、最高８つのチャネルについて８ビットを使用して符号化され得、ここで、各ビットは、対応するチャネルが使用されているかどうかを示す。また、ＣＢボンディング情報は、異なる方法で予約済みフィールドと長さフィールド３５４の最下位ビットとの間で分割され得ることを諒解されたい。たとえば、ＣＢボンディング情報の任意の１、２、３または４ビットが、長さフィールド３５４に配置され、残りのビットが、予約済みフィールド３７０に配置され得る。
【００９９】
[00105]上記で説明されたように、８０２．１１ａｙワイヤレスノードは、チャネル上で送信する前にチャネルがフリー（クリア）であるかどうかを決定するために、モニタ期間の間、チャネルをモニタし得る。ワイヤレスノードが、モニタ期間中に別のワイヤレスノードからフレームの開始を受信した場合、ワイヤレスノードは、フレームのために使用されるチャネルのすべてを決定するために、ヘッダ（たとえば、ヘッダ３１０または５１０）からＣＢ情報を取り出し得る。ヘッダは、ＣＢ情報が近隣のワイヤレスノードに受信されることになる可能性を増加させる、低いＭＣＳを使用するレガシーヘッダであり得る。ワイヤレスノードは、上記で説明されたように、ヘッダの予約済みフィールド３７０および／またはヘッダの長さフィールド３５４の最下位ビットからＣＢ情報を取り出し得る。ワイヤレスノードは、次いで、ＣＢ情報に基づいて、フレームのためのチャネルのすべてを決定し得る。したがって、ワイヤレスノードは、チャネルのうちの１つの上でヘッダを受信することによって、フレームのためのチャネルのすべてを決定し得る。
【０１００】
[00106]ワイヤレスノードはまた、長さフィールド中の長さ値を使用してＮＡＶを算出し得る。たとえば、ワイヤレスノードは、８０２．１１ａｄ規格または別のアルゴリズムに従ってＮＡＶを算出し得る。ワイヤレスノードは、ＣＢ情報中で示されたチャネルが、算出されたＮＡＶの持続時間の間占有（予約）されたと決定し得る。たとえば、ワイヤレスノードは、算出されたＮＡＶを用いてチャネルに関連するＮＡＶタイマーを更新し得る。この例では、ワイヤレスノードは、ＮＡＶタイマーがゼロにカウントダウンするまでチャネルが占有されると見なし得る。したがって、ワイヤレスノードは、ＮＡＶの持続時間の間、チャネルを使用すること（たとえば、チャネル上で送信すること）を回避し得る。
【０１０１】
[00107]８０２．１１ａｄワイヤレスノードも、チャネル上で送信する前にチャネルがフリー（クリア）であるかどうかを決定するために、モニタ期間の間、チャネルをモニタし得る。ワイヤレスノードがモニタ期間中に別のワイヤレスノードからチャネル上でフレームの開始を受信した場合、ワイヤレスノードは、ヘッダ（たとえば、ヘッダ３１０または５１０）の長さフィールド３５４から長さ値を取り出し、ＮＡＶ値を算出し得る。ヘッダは、８０２．１１ａｄワイヤレスノードが長さ値を取り出すことを可能にするために、レガシーヘッダであり得る。これは、８０２．１１ａｄワイヤレスノードが、それがデータ自体を復号することができない場合でも、チャネルが他のワイヤレスノードによって使用されることになることを知ることを可能にする。ＮＡＶを算出した後に、８０２．１１ａｄワイヤレスノードは、ＮＡＶの持続時間の間、チャネル（すなわち、ヘッダがその上で受信されたチャネル）を使用することを回避し得る。
【０１０２】
[00108]上記の例では、８０２．１１ａｄワイヤレスノードは、ＣＢ情報を復号することが可能でないことがある。したがって、８０２．１１ａｄワイヤレスノードは、ヘッダがその上で受信されたチャネルが、使用されていることを理解するにすぎないことがある。代替的に、８０２．１１ａｄワイヤレスノードは、ヘッダ中のＣＢ情報を理解するために更新され得る。この場合、更新された８０２．１１ａｄワイヤレスノードは、ＣＢ情報に基づいて、フレームのために使用されるチャネルのすべてを決定し、ＮＡＶの持続時間の間、これらのチャネルのすべてを使用することを回避し得る。
【０１０３】
[00109]図８は、本開示のいくつかの態様による、ワイヤレス通信のための例示的な動作８００を示す。動作８００は、たとえば、ワイヤレスノード（たとえば、アクセスポイント１１０またはアクセス端末１２０）によって実行され得る。
【０１０４】
[00110]８１０において、フレームを生成し、フレームは、送信のために装置によって使用されるべき複数のチャネルを示す第１の情報と、送信の持続時間を示す第２の情報とを備える。
【０１０５】
[00111]８２０において、複数のチャネルのうちの少なくとも１つの上でのワイヤレス送信のためにフレームを出力する。
【０１０６】
[00112]図９は、本開示のいくつかの態様による、ワイヤレス通信のための例示的な動作９００を示す。動作９００は、たとえば、ワイヤレスノード（たとえば、アクセスポイント１１０またはアクセス端末１２０）によって実行され得る。
【０１０７】
[00113]９１０において、装置において、フレームを受信し、フレームは、送信のために別の装置によって使用されるべき複数のチャネルを示す第１の情報と、送信の持続時間を示す第２の情報とを備える。
【０１０８】
[00114]９２０において、第１の情報に基づいて複数のチャネルを決定する。９３０において、第２の情報に基づいて持続時間を算出する。９４０において、少なくとも算出された持続時間の間、装置が複数のチャネル上で送信するのを妨げる。
【０１０９】
[00115]図１０は、本開示のいくつかの態様による、例示的なデバイス１０００を示す。デバイス１０００は、アクセスポイント１１０またはアクセス端末１２０において動作し、本明細書で説明された動作のうちの１つまたは複数を実行するように構成され得る。デバイス１０００は、処理システム１０２０と、処理システム１０２０に結合されたメモリ１０１０とを含む。メモリは、処理システム１０２０によって実行されたとき、本明細書で説明された動作のうちの１つまたは複数を処理システム１０２０に実行させる命令を記憶し得る。処理システム１０２０の例示的な実装形態が以下で与えられる。デバイス１０００は、処理システム１０２０に結合された送信／受信機インターフェース１０３０をも備える。インターフェース１０３０（たとえば、インターフェースバス）は、以下でさらに説明されるように、無線周波数（ＲＦ）フロントエンド（たとえば、トランシーバ２２６または２６６）に処理システム１０２０をインターフェースするように構成され得る。
【０１１０】
[00116]いくつかの態様では、処理システム１０２０は、本明細書で説明される動作のうちの１つまたは複数を実行するための、送信データプロセッサ（たとえば、送信データプロセッサ２２０または２６０）、フレームビルダー（たとえば、フレームビルダー２２２または２６２）、送信プロセッサ（たとえば、送信プロセッサ２２４または２６４）および／またはコントローラ（たとえば、コントローラ２３４または２７４）を含み得る。これらの態様では、処理システム１０２０は、フレームを生成し、（たとえば、アクセスポイントまたはアクセス端末への）ワイヤレス送信のために、インターフェース１０３０を介してＲＦフロントエンド（たとえば、トランシーバ２２６または２６６）にフレームを出力し得る。
【０１１１】
[00117]いくつかの態様では、処理システム１０２０は、本明細書で説明される動作のうちの１つまたは複数を実行するための、受信プロセッサ（たとえば、受信プロセッサ２４２または２８２）、受信データプロセッサ（たとえば、受信データプロセッサ２４４または２８４）および／またはコントローラ（たとえば、コントローラ２３４または２７４）を含み得る。これらの態様では、処理システム１０２０は、上記で説明された態様のうちのいずれか１つまたは複数に従って、インターフェース１０３０を介してＲＦフロントエンド（たとえば、トランシーバ２２６または２６６）からフレームを受信し、フレームを処理し得る。
【０１１２】
[00118]アクセス端末１２０の場合、デバイス１０００は、処理システム１０２０に結合されたユーザインターフェース１０４０を含み得る。ユーザインターフェース１０４０は、（たとえば、キーパッド、マウス、ジョイスティックなどを介して）ユーザからデータを受信し、処理システム１０２０にデータを与えるように構成され得る。ユーザインターフェース１０４０はまた、（たとえば、ディスプレイ、スピーカーなどを介して）処理システム１０４０からのデータをユーザに出力するように構成され得る。この場合、データは、ユーザに出力される前に、追加の処理を受け得る。アクセスポイント１１０の場合、ユーザインターフェースは省略され得る。
【０１１３】
[00119]送信のために装置によって使用されるべき複数のチャネルを示す第１の情報と、送信の持続時間を示す第２の情報とを備えるフレームを生成するための手段の例が、フレームビルダー２２２または２６２と、コントローラ２３４および２７４と、処理システム１０２０とを含む。複数のチャネルのうちの少なくとも１つの上でのワイヤレス送信のためにフレームを出力するための手段の例が、送信プロセッサ２２４または２６４と、トランシーバ２２６または２６６と、送信／受信インターフェース１０３０とを含む。第１の情報の少なくとも一部分をヘッダの予約済みフィールドに挿入するための手段の例が、フレームビルダー２２２または２６２と、コントローラ２３４および２７４と、処理システム１０２０とを含む。第２の情報をヘッダの長さフィールドに挿入するための手段の例が、フレームビルダー２２２または２６２と、コントローラ２３４および２７４と、処理システム１０２０とを含む。第１の情報の少なくとも一部分を、ヘッダの長さフィールドのＮ個の最下位ビット位置に挿入するための手段の例が、フレームビルダー２２２または２６２と、コントローラ２３４および２７４と、処理システム１０２０とを含む。第１の情報の第１の部分をヘッダの予約済みフィールドに挿入するための手段、および第１の情報の第２の部分をヘッダの長さフィールドに挿入するための手段の例が、フレームビルダー２２２または２６２と、コントローラ２３４および２７４と、処理システム１０２０とを含む。フレームのペイロード中のデータを符号化および変調するために使用される変調およびコーディングスキーム（ＭＣＳ）よりも低いＭＣＳを使用して、ヘッダを符号化および変調するための手段が、フレームビルダー２２２または２６２と、処理システム１０２０と、送信プロセッサ２２４または２６４と、送信／受信インターフェース１０３０とを含む。第１の値に基づいて第１の送信持続時間を算出するための手段、第１の値が送信の持続時間に対応する、の例が、コントローラ２３４および２７４と、処理システム１０２０とを含む。第２の値を取得するために、第１の値のＮ個の最下位ビットを第１の情報の少なくとも一部分と交換するための手段の例が、フレームビルダー２２２または２６２と、コントローラ２３４および２７４と、処理システム１０２０とを含む。第２の値に基づいて第２の送信持続時間を算出するための手段の例が、コントローラ２３４および２７４と、処理システム１０２０とを含む。第１の送信持続時間および第２の送信持続時間がほぼ等しい場合、第２の値をフレームに挿入するための手段の例が、フレームビルダー２２２または２６２と、コントローラ２３４および２７４と、処理システム１０２０とを含む。第２の送信持続時間が第１の送信持続時間よりも大きい場合、第３の値を取得するために、第２の値をある量だけ低減するための手段の例が、コントローラ２３４および２７４と、処理システム１０２０とを含む。第３の値をフレームに挿入するための手段、ここにおいて、第３の値が第２の情報と第１の情報の少なくとも一部分とを備える、の例が、フレームビルダー２２２または２６２と、コントローラ２３４および２７４と、処理システム１０２０と��含む。第２の送信持続時間が第１の送信持続時間よりも小さい場合、第３の値を取得するために、第２の値をある量だけ増加させるための手段の例が、コントローラ２３４および２７４と、処理システム１０２０とを含む。第３の値をフレームに挿入するための手段、ここにおいて、第３の値が第２の情報と第１の情報の少なくとも一部分とを備える、の例が、フレームビルダー２２２または２６２と、コントローラ２３４および２７４と、処理システム１０２０とを含む。
【０１１４】
[00120]送信のために別の装置によって使用されるべき複数のチャネルを示す第１の情報と、送信の持続時間を示す第２の情報とを備えるフレームを受信するための手段の例が、トランシーバ２２６または２６６と、受信プロセッサ２４２または２８２と、送信／受信インターフェース１０３０とを含む。第１の情報に基づいて複数のチャネルを決定するための手段の例が、コントローラ２３４および２７４と、処理システム１０２０とを含む。第２の情報に基づいて持続時間を算出するための手段の例が、コントローラ２３４および２７４と、処理システム１０２０とを含む。少なくとも算出された持続時間中の間、装置が複数のチャネル上で送信するのを妨げるための手段の例が、コントローラ２３４および２７４と、処理システム１０２０とを含む。ヘッダから第１の情報を取り出すための手段の例が、受信プロセッサ２４２または２８２と、コントローラ２３４および２７４と、処理システム１０２０とを含む。ヘッダの予約済みフィールドから第１の情報の少なくとも一部分を取り出すための手段の例が、受信プロセッサ２４２または２８２と、コントローラ２３４および２７４と、処理システム１０２０とを含む。ヘッダの長さフィールドから第２の情報を取り出すための手段の例が、受信プロセッサ２４２または２８２と、コントローラ２３４および２７４と、処理システム１０２０とを含む。ヘッダの長さフィールドのＮ個の最下位ビット位置から、第１の情報の少なくとも一部分を取り出すための手段の例が、受信プロセッサ２４２または２８２と、コントローラ２３４および２７４と、処理システム１０２０とを含む。ヘッダの予約済みフィールドから第１の情報の第１の部分を取り出すための手段、およびヘッダの長さフィールドから第１の情報の第２の部分を取り出すための手段の例が、受信プロセッサ２４２または２８２と、コントローラ２３４および２７４と、処理システム１０２０とを含む。フレームのデータペイロード中のデータを復号および復調するために使用される変調およびコーディングスキーム（ＭＣＳ）よりも低いＭＣＳを使用して、ヘッダを復調および復号するための手段の例が、受信プロセッサ２４２または２８２と、処理システム１０２０と、送信／受信インターフェース１０３０とを含む。
【０１１５】
[00121]上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。
【０１１６】
[00122]本明細書で使用される「決定すること」という用語は、多種多様なアクションを包含する。たとえば、「決定すること」は、計算すること（calculating）、算出すること（computing）、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０１１７】
[00123]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１１８】
[00124]本開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１１９】
[00125]本開示に関連して説明された方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【０１２０】
[00126]本明細書で開示された方法は、説明された方法を達成するための１つまたは複数のステップまたはアクションを備える。方法のステップおよび／またはアクションは、特許請求の範囲から逸脱することなく、互いに入れ替えられ得る。言い換えれば、ステップまたはアクションの特定の順序が指定されていない限り、特定のステップおよび／またはアクションの順序および／または使用は、特許請求の範囲から逸脱することなく変更され得る。
【０１２１】
[00127]説明された機能は、ハードウェア、ソフトウェア、ファームウェア、またはそれらの任意の組合せで実装され得る。ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。アクセス端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、これらの回路は当技術分野でよく知られており、したがってこれ以上説明されない。
【０１２２】
[00128]プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【０１２３】
[00129]ハードウェア実装形態では、機械可読媒体は、プロセッサとは別個の処理システムの一部であり得る。しかしながら、当業者なら容易に諒解するように、機械可読媒体またはそれの任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体またはその任意の部分は、キャッシュおよび／または汎用レジスタファイルがそうであり得るように、プロセッサに統合され得る。
【０１２４】
[00130]処理システムは、すべて外部バスアーキテクチャを介して他のサポート回路と互いにリンクされる、プロセッサ機能を提供する１つまたは複数のマイクロプロセッサと、機械可読媒体の少なくとも一部分を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明された様々な機能を実行することができる回路の任意の組合せを用いて、実装され得る。当業者は、特定の適用例と、全体的なシステムに課される全体的な設計制約とに応じて、どのようにしたら処理システムについて説明された機能を最も良く実装し得るかを理解されよう。
【０１２５】
[00131]機械可読媒体はいくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【０１２６】
[00132]ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、コンピュータプログラムのある場所から別の場所への転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【０１２７】
[00133]したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１２８】
[00134]さらに、本明細書で説明された方法および技法を実行するためのモジュールおよび／または他の適切な手段は、適用可能な場合にアクセス端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、アクセス端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに与えるための任意の他の好適な技法が利用され得る。
【０１２９】
[00135]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に、本願出願の当初の特許請求の範囲に記載された発明を付記する。
［Ｃ１］
ワイヤレス通信のための装置であって、
送信のために前記装置によって使用されるべき複数のチャネルを示す第１の情報と、前記送信の持続時間を示す第２の情報とを備えるフレームを生成するように構成される処理システムと、
前記複数のチャネルのうちの少なくとも１つの上でのワイヤレス送信のために前記フレームを出力するように構成されるインターフェースと
を備える、装置。
［Ｃ２］
前記第１の情報は、前記複数のチャネルのうちの第１の１つを示す第１の部分と、前記複数のチャネルの数を示す第２の部分とを備える、
［Ｃ１］に記載の装置。
［Ｃ３］
前記複数のチャネルは、連続する、
［Ｃ１］に記載の装置。
［Ｃ４］
前記フレームは、ヘッダを含み、前記第１の情報は、前記ヘッダ中にある、
［Ｃ１］に記載の装置。
［Ｃ５］
前記処理システムは、前記第１の情報の少なくとも一部分を前記ヘッダの予約済みフィールドに挿入するように構成される、
［Ｃ４］に記載の装置。
［Ｃ６］
前記処理システムは、前記第２の情報を前記ヘッダの長さフィールドに挿入するように構成される、
［Ｃ４］に記載の装置。
［Ｃ７］
前記処理システムは、前記第１の情報の少なくとも一部分を、前記ヘッダの前記長さフィールドのＮ個の最下位ビット位置に挿入するように構成され、Ｎは、整数である、
［Ｃ６］に記載の装置。
［Ｃ８］
前記処理システムは、前記第１の情報の第１の部分を前記ヘッダの予約済みフィールド中に挿入することと、前記第１の情報の第２の部分を前記ヘッダの長さフィールド中に挿入することとを行うように構成される、
［Ｃ４］に記載の装置。
［Ｃ９］
前記処理システムは、前記フレームのペイロード中のデータを符号化および変調するために使用された変調およびコーディングスキーム（ＭＣＳ）よりも低いＭＣＳを使用して、前記ヘッダを符号化および変調するように構成される、
［Ｃ４］に記載の装置。
［Ｃ１０］
前記処理システムは、
第１の値に基づいて第１の送信持続時間を算出すること、前記第１の値は、前記送信の前記持続時間に対応する、と、
第２の値を取得するために、前記第１の値のＮ個の最下位ビットを前記第１の情報の少なくとも一部分と交換すること、Ｎは、整数である、と、
前記第２の値に基づいて第２の送信持続時間を算出することと、
前記第１の送信持続時間および前記第２の送信持続時間がほぼ等しい場合、前記第２の値を前記フレームに挿入すること、ここにおいて、前記第２の値は、前記第２の情報と、前記第１の情報の前記少なくとも一部分とを備える、と
を行うように構成される、［Ｃ１］に記載の装置。
［Ｃ１１］
前記第１の送信持続時間は、第１のネットワーク割振りベクトル（ＮＡＶ）値を備え、前記第２の送信持続時間は、第２のＮＡＶ値を備える、
［Ｃ１０］に記載の装置。
［Ｃ１２］
前記第２の送信持続時間が前記第１の送信持続時間よりも大きい場合、前記処理システムは、
第３の値を取得するために、前記第２の値をある量だけ低減することと、
前記第３の値を前記フレームに挿入すること、ここにおいて、前記第３の値は、前記第２の情報と、前記第１の情報の前記少なくとも一部分とを備える、と
を行うように構成される、［Ｃ１０］に記載の装置。
［Ｃ１３］
前記第２の送信持続時間が前記第１の送信持続時間よりも小さい場合、前記処理システムは、
第３の値を取得するために、前記第２の値をある量だけ増加させることと、
前記第３の値を前記フレームに挿入すること、ここにおいて、前記第３の値は、前記第２の情報と、前記第１の情報の前記少なくとも一部分とを備える、と
を行うように構成される、［Ｃ１０］に記載の装置。
［Ｃ１４］
ワイヤレス通信のための方法であって、
送信のために装置によって使用されるべき複数のチャネルを示す第１の情報と、前記送信の持続時間を示す第２の情報とを備えるフレームを生成することと、
前記複数のチャネルのうちの少なくとも１つの上でのワイヤレス送信のために前記フレームを出力することと
を備える、方法。
［Ｃ１５］
前記第１の情報は、前記複数のチャネルのうちの第１の１つを示す第１の部分と、前記複数のチャネルの数を示す第２の部分とを備える、
［Ｃ１４］に記載の方法。
［Ｃ１６］
前記複数のチャネルは、連続する、
［Ｃ１４］に記載の方法。
［Ｃ１７］
前記フレームは、ヘッダを含み、前記第１の情報は、前記ヘッダ中にある、
［Ｃ１４］に記載の方法。
［Ｃ１８］
前記第１の情報の少なくとも一部分を前記ヘッダの予約済みフィールドに挿入することをさらに備える、
［Ｃ１７］に記載の方法。
［Ｃ１９］
前記第２の情報を前記ヘッダの長さフィールドに挿入することをさらに備える、
［Ｃ１７］に記載の方法。
［Ｃ２０］
前記第１の情報の少なくとも一部分を、前記ヘッダの前記長さフィールドのＮ個の最下位ビット位置に挿入することをさらに備え、Ｎが整数である、［Ｃ１９］に記載の方法。
［Ｃ２１］
前記第１の情報の第１の部分を前記ヘッダの予約済みフィールドに挿入することと、
前記第１の情報の第２の部分を前記ヘッダの長さフィールドに挿入することと
をさらに備える、［Ｃ１７］に記載の方法。
［Ｃ２２］
前記フレームのペイロード中のデータを符号化および変調するために使用された変調およびコーディングスキーム（ＭＣＳ）よりも低いＭＣＳを使用して、前記ヘッダを符号化および変調することをさらに備える、
［Ｃ１７］に記載の方法。
［Ｃ２３］
第１の値に基づいて第１の送信持続時間を算出すること、前記第１の値は、前記送信の前記持続時間に対応する、と、
第２の値を取得するために、前記第１の値のＮ個の最下位ビットを前記第１の情報の少なくとも一部分と交換すること、Ｎは、整数である、と、
前記第２の値に基づいて第２の送信持続時間を算出することと、
前記第１の送信持続時間および前記第２の送信持続時間がほぼ等しい場合、前記第２の値を前記フレームに挿入すること、ここにおいて、前記第２の値は、前記第２の情報と、前記第１の情報の前記少なくとも一部分とを備える、と
をさらに備える、［Ｃ１４］に記載の方法。
［Ｃ２４］
前記第１の送信持続時間は、第１のネットワーク割振りベクトル（ＮＡＶ）値を備え、前記第２の送信持続時間は、第２のＮＡＶ値を備える、
［Ｃ２３］に記載の方法。
［Ｃ２５］
前記第２の送信持続時間が前記第１の送信持続時間よりも大きい場合、第３の値を取得するために、前記第２の値をある量だけ低減することと、
前記第３の値を前記フレームに挿入すること、ここにおいて、前記第３の値は、前記第２の情報と、前記第１の情報の少なくとも一部分とを備える、と
をさらに備える、［Ｃ２３］に記載の方法。
［Ｃ２６］
前記第２の送信持続時間が前記第１の送信持続時間よりも小さい場合、第３の値を取得するために、前記第２の値をある量だけ増加させることと、
前記第３の値を前記フレームに挿入すること、ここにおいて、前記第３の値は、前記第２の情報と、前記第１の情報の前記少なくとも一部分とを備える、と
をさらに備える、［Ｃ２３］に記載の方法。
［Ｃ２７］
ワイヤレス通信のための装置であって、
送信のために前記装置によって使用されるべき複数のチャネルを示す第１の情報と、前記送信の持続時間を示す第２の情報とを備えるフレームを生成するための手段と、
前記複数のチャネルのうちの少なくとも１つの上でのワイヤレス送信のために前記フレームを出力するための手段と
を備える、装置。
［Ｃ２８］
前記第１の情報は、前記複数のチャネルのうちの第１の１つを示す第１の部分と、前記複数のチャネルの数を示す第２の部分とを備える、
［Ｃ２７］に記載の装置。
［Ｃ２９］
前記複数のチャネルは、連続する、
［Ｃ２７］に記載の装置。
［Ｃ３０］
前記フレームは、ヘッダを含み、前記第１の情報は、前記ヘッダ中にある、
［Ｃ２７］に記載の装置。
［Ｃ３１］
前記第１の情報の少なくとも一部分を前記ヘッダの予約済みフィールドに挿入するための手段をさらに備える、
［Ｃ３０］に記載の装置。
［Ｃ３２］
前記第２の情報を前記ヘッダの長さフィールドに挿入するための手段をさらに備える、
［Ｃ３０］に記載の装置。
［Ｃ３３］
前記第１の情報の少なくとも一部分を、前記ヘッダの前記長さフィールドのＮ個の最下位ビット位置に挿入するための手段をさらに備え、Ｎは、整数である、
［Ｃ３２］に記載の装置。
［Ｃ３４］
前記第１の情報の第１の部分を前記ヘッダの予約済みフィールドに挿入するための手段と、
前記第１の情報の第２の部分を前記ヘッダの長さフィールドに挿入するための手段と
をさらに備える、［Ｃ３０］に記載の装置。
［Ｃ３５］
前記フレームのペイロード中のデータを符号化および変調するために使用された変調およびコーディングスキーム（ＭＣＳ）よりも低いＭＣＳを使用して、前記ヘッダを符号化および変調するための手段をさらに備える、
［Ｃ３０］に記載の装置。
［Ｃ３６］
第１の値に基づいて第１の送信持続時間を算出するための手段、前記第１の値は、前記送信の前記持続時間に対応する、と、
第２の値を取得するために、前記第１の値のＮ個の最下位ビットを前記第１の情報の少なくとも一部分と交換するための手段、Ｎは、整数である、と、
前記第２の値に基づいて第２の送信持続時間を算出するための手段と、
前記第１の送信持続時間および前記第２の送信持続時間がほぼ等しい場合、前記第２の値を前記フレームに挿入するための手段、ここにおいて、前記第２の値は、前記第２の情報と、前記第１の情報の前記少なくとも一部分とを備える、と
をさらに備える、［Ｃ２７］に記載の装置。
［Ｃ３７］
前記第１の送信持続時間は、第１のネットワーク割振りベクトル（ＮＡＶ）値を備え、前記第２の送信持続時間は、第２のＮＡＶ値を備える、
［Ｃ３６］に記載の装置。
［Ｃ３８］
前記第２の送信持続時間が前記第１の送信持続時間よりも大きい場合、第３の値を取得するために、前記第２の値をある量だけ低減するための手段と、
前記第３の値を前記フレームに挿入するための手段、ここにおいて、前記第３の値は、前記第２の情報と、前記第１の情報の前記少なくとも一部分とを備える、と
をさらに備える、［Ｃ３６］に記載の装置。
［Ｃ３９］
前記第２の送信持続時間が前記第１の送信持続時間よりも小さい場合、第３の値を取得するために、前記第２の値をある量だけ増加させるための手段と、
前記第３の値を前記フレームに挿入するための手段、ここにおいて、前記第３の値は、前記第２の情報と、前記第１の情報の前記少なくとも一部分とを備える、と
をさらに備える、［Ｃ３６］に記載の装置。
［Ｃ４０］
送信のために装置によって使用されるべき複数のチャネルを示す第１の情報と、前記送信の持続時間を示す第２の情報とを備えるフレームを生成することと、
前記複数のチャネルのうちの少なくとも１つの上でのワイヤレス送信のために前記フレームを出力することと
を行うためのその上に記憶された命令を備えるコンピュータ可読媒体。
［Ｃ４１］
ワイヤレスノードであって、
少なくとも１つのアンテナと、
送信のために前記ワイヤレスノードによって使用されるべき複数のチャネルを示す第１の情報と、前記送信の持続時間を示す第２の情報とを備えるフレームを生成するように構成される処理システムと、
前記少なくとも１つのアンテナを介して前記フレームを送信するように構成される送信機と
を備える、ワイヤレスノード。
［Ｃ４２］
ワイヤレス通信のための装置であって、
送信のために別の装置によって使用されるべき複数のチャネルを示す第１の情報と、前記送信の持続時間を示す第２の情報とを備えるフレームを受信するためのインターフェースと、
前記第１の情報に基づいて前記複数のチャネルを決定することと、前記第２の情報に基づいて持続時間を算出することと、少なくとも前記算出された持続時間中の間、前記装置が前記複数のチャネル上で送信するのを妨げることとを行うように構成される処理システムと
を備える、装置。
［Ｃ４３］
前記算出された持続時間は、ネットワーク割振りベクトル（ＮＡＶ）値を備える、
［Ｃ４２］に記載の装置。
［Ｃ４４］
前記第１の情報は、前記複数のチャネルのうちの第１の１つを示す第１の部分と、前記複数のチャネルの数を示す第２の部分とを備える、
［Ｃ４２］に記載の装置。
［Ｃ４５］
前記処理システムは、前記ヘッダから前記第１の情報を取り出すように構成される、
［Ｃ４２］に記載の装置。
［Ｃ４６］
前記処理システムは、前記ヘッダの予約済みフィールドから前記第１の情報の少なくとも一部分を取り出すように構成される、
［Ｃ４５］に記載の装置。
［Ｃ４７］
前記処理システムは、前記ヘッダの長さフィールドから前記第２の情報を取り出すように構成される、
［Ｃ４５］に記載の装置。
［Ｃ４８］
前記処理システムは、前記ヘッダの前記長さフィールドのＮ個の最下位ビット位置から、前記第１の情報の少なくとも一部分を取り出すように構成され、Ｎは、整数である、
［Ｃ４７］に記載の装置。
［Ｃ４９］
前記処理システムは、前記ヘッダの予約済みフィールドから前記第１の情報の第１の部分を取り出すことと、前記ヘッダの長さフィールドから前記第１の情報の第２の部分を取り出すこととを行うように構成される、
［Ｃ４５］に記載の装置。
［Ｃ５０］
前記処理システムは、前記フレームのデータペイロード中のデータを復号および復調するために使用された変調およびコーディングスキーム（ＭＣＳ）よりも低いＭＣＳを使用して、前記ヘッダを復調および復号するように構成される、
［Ｃ４５］に記載の装置。
［Ｃ５１］
ワイヤレス通信のための方法であって、
装置において、送信のために別の装置によって使用されるべき複数のチャネルを示す第１の情報と、前記送信の持続時間を示す第２の情報とを備えるフレームを受信することと、
前記第１の情報に基づいて前記複数のチャネルを決定することと、
前記第２の情報に基づいて持続時間を算出することと、
少なくとも前記算出された持続時間中の間、前記装置が前記複数のチャネル上で送信するのを妨げることと
を備える、方法。
［Ｃ５２］
前記算出された持続時間は、ネットワーク割振りベクトル（ＮＡＶ）値を備える、
［Ｃ５１］に記載の方法。
［Ｃ５３］
前記第１の情報は、前記複数のチャネルのうちの第１の１つを示す第１の部分と、前記複数のチャネルの数を示す第２の部分とを備える、
［Ｃ５１］に記載の方法。
［Ｃ５４］
前記ヘッダから前記第１の情報を取り出すことをさらに備える、
［Ｃ５１］に記載の方法。
［Ｃ５５］
前記ヘッダの予約済みフィールドから前記第１の情報の少なくとも一部分を取り出すことをさらに備える、
［Ｃ５４］に記載の方法。
［Ｃ５６］
前記ヘッダの長さフィールドから前記第２の情報を取り出すことをさらに備える、
［Ｃ５４］に記載の方法。
［Ｃ５７］
前記ヘッダの前記長さフィールドのＮ個の最下位ビット位置から、前記第１の情報の少なくとも一部分を取り出すことをさらに備え、Ｎは、整数である、
［Ｃ５６］に記載の方法。
［Ｃ５８］
前記ヘッダの予約済みフィールドから前記第１の情報の第１の部分を取り出すことと、前記ヘッダの長さフィールドから前記第１の情報の第２の部分を取り出すこととをさらに備える、
［Ｃ５４］に記載の方法。
［Ｃ５９］
前記フレームのデータペイロード中のデータを復号および復調するために使用された変調およびコーディングスキーム（ＭＣＳ）よりも低いＭＣＳを使用して、前記ヘッダを復調および復号することをさらに備える、［Ｃ５４］に記載の方法。
［Ｃ６０］
ワイヤレス通信のための装置であって、
送信のために別の装置によって使用されるべき複数のチャネルを示す第１の情報と、前記送信の持続時間を示す第２の情報とを備えるフレームを受信するための手段と、
前記第１の情報に基づいて前記複数のチャネルを決定するための手段と、
前記第２の情報に基づいて持続時間を算出するための手段と、
少なくとも前記算出された持続時間中の間、前記装置が前記複数のチャネル上で送信するのを妨げるための手段と
を備える、装置。
［Ｃ６１］
前記算出された持続時間は、ネットワーク割振りベクトル（ＮＡＶ）値を備える、
［Ｃ６０］に記載の装置。
［Ｃ６２］
前記第１の情報は、前記複数のチャネルのうちの第１の１つを示す第１の部分と、前記複数のチャネルの数を示す第２の部分とを備える、
［Ｃ６０］に記載の装置。
［Ｃ６３］
前記ヘッダから前記第１の情報を取り出すための手段をさらに備える、
［Ｃ６０］に記載の装置。
［Ｃ６４］
前記ヘッダの予約済みフィールドから前記第１の情報の少なくとも一部分を取り出すための手段をさらに備える、
［Ｃ６３］に記載の装置。
［Ｃ６５］
前記ヘッダの長さフィールドから前記第２の情報を取り出すための手段をさらに備える、
［Ｃ６３］に記載の装置。
［Ｃ６６］
前記ヘッダの前記長さフィールドのＮ個の最下位ビット位置から、前記第１の情報の少なくとも一部分を取り出すための手段をさらに備える、［Ｃ６５］に記載の装置。
［Ｃ６７］
前記ヘッダの予約済みフィールドから前記第１の情報の第１の部分を取り出すための手段と、前記ヘッダの長さフィールドから前記第１の情報の第２の部分を取り出すための手段とをさらに備える、
［Ｃ６３］に記載の装置。
［Ｃ６８］
前記フレームのデータペイロード中のデータを復号および復調するために使用された変調およびコーディングスキーム（ＭＣＳ）よりも低いＭＣＳを使用して、前記ヘッダを復調および復号するための手段をさらに備える、
［Ｃ６３］に記載の装置。
［Ｃ６９］
装置において、送信のために別の装置によって使用されるべき複数のチャネルを示す第１の情報と、前記送信の持続時間を示す第２の情報とを備えるフレームを受信することと、
前記第１の情報に基づいて前記複数のチャネルを決定することと、
前記第２の情報に基づいて持続時間を算出することと、
少なくとも前記算出された持続時間中の間、前記装置が前記複数のチャネル上で送信するのを妨げることと
を行うためのその上に記憶された命令を備えるコンピュータ可読媒体。
［Ｃ７０］
ワイヤレスノードであって、
少なくとも１つのアンテナと、
送信のために装置によって使用されるべき複数のチャネルを示す第１の情報と、前記送信の持続時間を示す第２の情報とを備えるフレームを、前記少なくとも１つのアンテナを介して、受信するように構成される受信機と、
前記第１の情報に基づいて前記複数のチャネルを決定することと、前記第２の情報に基づいて持続時間を算出することと、少なくとも前記算出された持続時間中の間、前記ワイヤレスノードが前記複数のチャネル上で送信するのを妨げることとを行うように構成される処理システムと
を備える、ワイヤレスノード。
【要約】  本開示のいくつかの態様では、ワイヤレス通信のための装置が、送信のために装置によって使用されるべき複数のチャネルを示す第１の情報と、送信の持続時間を示す第２の情報とを備えるフレームを生成するように構成される処理システムを備える。本装置はまた、複数のチャネルのうちの少なくとも１つの上でのワイヤレス送信のためにフレームを出力するように構成されるインターフェースを備える。本開示のいくつかの態様では、フレームを受信する別の装置が、第１の情報に基づいて複数のチャネルを決定し、第２の情報に基づいて持続時間を算出し、（たとえば、衝突を回避するために）少なくとも算出された持続時間の間、複数のチャネル上で送信することを回避し得る。
【選択図】図８【図１】
0006337220.tif 000006
【図２】
0006337220.tif 000007
【図３】
0006337220.tif 000008
【図４】
0006337220.tif 000009
【図５Ａ】
0006337220.tif 000010
【図５Ｂ】
0006337220.tif 000011
【図６】
0006337220.tif 000012
【図７】
0006337220.tif 000013
【図８】
0006337220.tif 000014
【図９】
0006337220.tif 000015
【図１０】
0006337220.tif 000016